【手続補正書】
【提出日】平成24年6月12日(2012.6.12)
【手続補正１】
【補正対象書類名】特許請求の範囲
【補正対象項目名】全文
【補正方法】変更
【補正の内容】
【特許請求の範囲】
【請求項１】
変圧器巻線（１２）の負荷時タップ切換器（１０）であって、
前記変圧器巻線（１２）の第１のタップとニュートラル端子（１６）とに直接直列に結合された第１の微小電気機械システム（ＭＥＭＳ）スイッチモジュール（１８）と、
前記変圧器巻線（１２）の第２のタップと前記ニュートラル端子（１６）とに直接直列に結合された第２の微小電気機械システム（ＭＥＭＳ）スイッチモジュール（１８）と、
前記第１のＭＥＭＳスイッチモジュール（１８）及び前記第２のＭＥＭＳスイッチモジュール（１８）に作動的に結合されたコントローラ（４０）であって、前記コントローラ（４０）は、前記第１及び第２のＭＥＭＳスイッチモジュール（１８）によってそれぞれ受信されて、前記第１のＭＥＭＳスイッチモジュール（１８）が閉位置に移動するようにさせ、前記第２のＭＥＭＳスイッチモジュール（１８）が開位置に移動するようにさせて、前記変圧器巻線（１２）で第１の所定の巻数比が得られるようにする第１及び第２の信号を発生するように構成され、前記コントローラ（４０）は更に、前記第１の時点の後の第２の時点で前記第２のＭＥＭＳスイッチモジュール（１８）が閉位置に移動するようにさせる前記第２のＭＥＭＳスイッチモジュール（１８）への第３の信号を発生するように構成され、前記コントローラ（４０）は更に、第２の時点の後の第３の時点で前記第１のＭＥＭＳスイッチモジュール（１８）により受信される第４の信号を発生するように構成され、前記第１のＭＥＭＳスイッチモジュール（１８）は、前記第４の信号に応答して交流電流の検知されたゼロ交差で閉位置から開位置に移動して、前記変圧器巻線（１２）で第２の所定の巻数比を得るように構成された、コントローラ（４０）と、
前記第１のＭＥＭＳスイッチモジュール（１８）と前記第２のＭＥＭＳスイッチモジュール（１８）に結合された制御回路（２１）であって、前記制御回路（２１）は、前記第１のＭＥＭＳスイッチモジュール（１８）及び前記第２のＭＥＭＳスイッチモジュール（１８）が各々閉位置にある場合に前記変圧器巻線（１２）の間の大きい循環電流を防ぐように構成された、制御回路（２１）と
を備え、
前記第１のＭＥＭＳスイッチモジュール（１８）と前記第２のＭＥＭＳスイッチモジュール（１８）とのうちの少なくとも１つは、前記交流電流のゼロ交差を検知する少なくとも１つの電流センサを備える、
負荷時タップ切換器（１０）。
【請求項２】
前記制御回路（２１）が、前記第１のＭＥＭＳスイッチモジュール（１８）と前記ニュートラル端子（１６）との間に結合され、且つ前記第２のＭＥＭＳスイッチモジュール（１８）と前記ニュートラル端子（１６）との間に更に結合された第１のダイバータスイッチモジュール（２２〜２８）であって、第１の時点で第１の動作位置に移動して負荷電流が前記第１のＭＥＭＳスイッチモジュール（１８）と前記ニュートラル端子（１６）との間を流れ、前記変圧器巻線（１２）の前記第１の所定の巻数比が得られるように構成された前記第１のダイバータスイッチモジュール（２２〜２８）をさらに備える、請求項１に記載の負荷時タップ切換器（１０）。
【請求項３】
前記制御回路（２１）が、前記第１のＭＥＭＳスイッチモジュール（１８）と前記第１のダイバータスイッチモジュール（２２〜２８）との間に結合された第２のダイバータスイッチモジュール（２２〜２８）であって、第１のダイバータインピーダンスに並列に結合され、前記コントローラ（４０）によって発生された第５の信号に応答して、前記第２の時点の後の第４の時点で開位置に移動し、タップ切換え動作中に負荷電流が前記第１のダイバータインピーダンスを通ることを可能にし、前記第１の時点では閉位置にある前記第２のダイバータスイッチモジュール（２２〜２８）をさらに備える、請求項２に記載の負荷時タップ切換器（１０）。
【請求項４】
前記制御回路（２１）が、前記第２のＭＥＭＳスイッチモジュール（１８）と前記第１のダイバータスイッチモジュール（２２〜２８）との間に結合された第３のダイバータスイッチモジュール（２２〜２８）であって、第２のダイバータインピーダンスに並列に結合され、前記時点で開位置にある前記第３のダイバータスイッチモジュール（２２〜２８）をさらに備える、請求項３に記載の負荷時タップ切換器（１０）。
【請求項５】
前記制御回路（２１）が、前記第１のダイバータインピーダンスと前記第２のダイバータインピーダンスとの間に結合され、更に前記第１のダイバータスイッチモジュール（２２〜２８）に並列に結合された第４のダイバータスイッチモジュール（２２〜２８）であって、前記コントローラ（４０）によって発生された第６の信号に応答して、前記第４の時点の後の第５の時点で閉位置に移動して、負荷電流が前記第１のダイバータインピーダンスと前記第２のダイバータインピーダンスとを通過して、タップ切換え動作中に変圧器巻線（１２）の間に大きい循環電流が発生することを防止し、前記第１の時点では開位置にある前記第４のダイバータスイッチモジュール（２２〜２８）とをさらに備える、請求項４に記載の負荷時タップ切換器（１０）。
【請求項６】
前記第１のダイバータスイッチモジュール（２２〜２８）は、前記コントローラ（４０）によって発生された第７の信号に応答して、前記第５の時点の後の第６の時点で前記第１の動作位置から第２の動作位置に移動して、負荷電流が前記第２のＭＥＭＳスイッチモジュール（１８）と前記ニュートラル端子（１６）との間を通って、前記変圧器巻線（１２）の前記第２の所定の巻数比が得られるように構成されている、請求項５に記載の負荷時タップ切換器（１０）。
【請求項７】
前記第４のダイバータスイッチモジュール（２２〜２８）は、前記コントローラ（４０）によって発生された第８の信号に応答して、前記第６の時点の後の第７の時点で開位置に移動して、負荷電流が前記タップ切換え動作中に前記第２のダイバータインピーダンスを通過できるように構成されている、請求項６に記載の負荷時タップ切換器（１０）。
【請求項８】
前記第３のダイバータスイッチモジュール（２２〜２８）は、前記コントローラ（４０）によって発生された第９の信号に応答して、前記第７の時点の後の第８の時点で閉位置に移動して、負荷電流が前記第２のＭＥＭＳスイッチモジュール（１８）と前記ニュートラル端子（１６）との間を通り、前記変圧器巻線（１２）に前記第２の所定の巻数比を提供するように構成されている、請求項７に記載の負荷時タップ切換器（１０）。
【請求項９】
前記第１のＭＥＭＳスイッチモジュール（１８）は、前記第４の信号に応答して前記交流電流の前記検知されたゼロ交差で前記閉位置から前記開位置に移動して、前記第３の時点で前記変圧器巻線（１２）の前記第２の所定の巻数比が得られるようにされた、請求項８に記載の負荷時タップ切換器（１０）。
【請求項１０】
前記第１及び第２のＭＥＭＳスイッチモジュール（１８）は各々、前記開位置で作用的に漏れ電流がゼロである少なくとも１つのＭＥＭＳスイッチを含む、請求項１に記載の負荷時タップ切換器（１０）。
【請求項１１】
前記第１及び第２のＭＥＭＳスイッチモジュール（１８）は各々、前記交流電流のゼロ交差を検知する少なくとも１つの電流センサを含む、請求項１に記載の負荷時タップ切換器（１０）。
【請求項１２】
変圧器巻線（１２）の負荷時タップ切換器（１０）であって、
前記変圧器巻線（１２）の第１のタップとニュートラル端子（１６）とに直接直列に結合された第１の微小電気機械システム（ＭＥＭＳ）スイッチモジュールと、
前記変圧器巻線（１２）の第２のタップと前記ニュートラル端子（１６）とに直接直列に結合された第２のＭＥＭＳスイッチモジュール（１８）と、
前記第１のＭＥＭＳスイッチモジュール（１８）及び前記第２のＭＥＭＳスイッチモジュール（１８）に作動的に結合されたコントローラ（４０）であって、前記コントローラ（４０）は、前記第１及び第２のＭＥＭＳスイッチモジュール（１８）によってそれぞれ受信されて、第１の時点で前記第１のＭＥＭＳスイッチモジュール（１８）が閉位置に移動するようにさせ、前記第２のＭＥＭＳスイッチモジュール（１８）が開位置に移動するようにさせて、前記変圧器巻線（１２）で第１の所定の巻数比が得られるようにする第１及び第２の信号を発生するように構成され、前記コントローラ（４０）は更に、前記第１の時点の後の前記第２の時点で前記第２のＭＥＭＳスイッチモジュール（１８）が閉位置に移動するようにさせる第２のＭＥＭＳスイッチモジュール（１８）への第３の信号を発生するように構成された前記コントローラ（４０）と、
前記第１のＭＥＭＳスイッチモジュール（１８）と前記第２のＭＥＭＳスイッチモジュール（１８）とに結合された制御回路（２１）とを含み、前記制御回路（２１）は、前記第１のＭＥＭＳスイッチモジュール（１８）と前記第２のＭＥＭＳスイッチモジュール（１８）とが各々閉位置にある場合に前記変圧器巻線（１２）間に大きい循環電流が発生することを防止するように構成され、
前記コントローラ（４０）は更に、前記第２の時点の後の第３の時点で前記第１のＭＥＭＳスイッチモジュール（１８）により受信される第４の信号を発生するように構成され、前記第１のＭＥＭＳスイッチモジュール（１８）は、前記第４の信号に応答して交流電流の検知されたゼロ交差で閉位置から開位置に移動して、前記変圧器巻線（１２）で第２の所定の巻数比を得るように構成され、前記第１のＭＥＭＳスイッチモジュール（１８）は前記交流電流の前記ゼロ交差を検知する第１の電流センサを含む、
負荷時タップ切換器（１０）。
【請求項１３】
前記第２のＭＥＭＳスイッチモジュール（１８）は、前記交流電流の前記ゼロ交差を検知する第２の電流センサを含む、請求項１２に記載の負荷時タップ切換器（１０）。
【請求項１４】
前記第１及び第２のＭＥＭＳスイッチモジュール（１８）は各々、前記開位置で作用的に漏れ電流がゼロである少なくとも１つのＭＥＭＳスイッチを含む、請求項１２に記載の負荷時タップ切換器（１０）。
【請求項１５】
前記第１及び第２のＭＥＭＳスイッチモジュール（１８）は各々、１マイクロ秒未満のスイッチング速度を有する、請求項１２に記載の負荷時タップ切換器（１０）。